(57)【要約】      （修正有）【課題】自転車技術、並びに電気技術をベースとして最も安価で衛生的なエネルギー資源を開発すること。【解決手段】バイク型トレーニングマシーンをを正方形上に、そして碁盤目状に並べ、トレーニングマシーンには発電機を繋ぐことにより、トレーニングを行うと発電され、その電気を電力会社に売り、利益をトレーニングした人にキャッシュバックする。【選択図】図１
2008104830.tif 000002
【特許請求の範囲】
【請求項１】
バイクトレ−ニングマシ−ン型発電機（Ａタイプ、Ｂタイプ）
【請求項２】
国家によるバイク型トレ−ニングマシ−ン発電機を使った人力発電計画（具体的には、説明のプランａ、プランｂ、プランｃ、プランｄ、プランｅ等）
【請求項３】
下記３つの注記を有機的に併せたアイディア。
有機的に併せるとは、具体的に明細書並びに要約書に述べている。
注１：バイク型トレ−ニング・マシ−ンは私の発明でも特許でもありません。
バイクは自転車を意味します。
注２：発電モ−タ−は、私の発明でも特許でもありません。
注３：畜電機兼売電機は、私の発明でも特許でもありません。
【発明の詳細な説明】
【技術分野】
【０００１】自転車並びに発電モ−タ−、その他の電気技術。
【背景技術】
【０００２】自転車技術、並びに日本得意の発達した電気技術をベ−スとして最も安価で衛生的なエネルギ一資源の開発を目指す。特にこの資源の元は、なんといっても１億の人口である。
【発明の開示】
【発明が解決しようとする課題】
【０００３】最近の例でもお解りのように、日本は、反米的な国家の国々から天然資源開発から締め出しをくらっている。ロシアのサハリン２、イランのアサデガン油田等。今後も、このような締め出し乃至契約破棄による資源確保の不安定は予測しなければならない。
【課題を解決するための手段】
【０００４】１億もの人口資源を活用しない手はない。これと『キャシュ・バックシステム』をフルに活用する。
【発明の効果】
【０００５】国民の心身ともの健康化健全化に大きく寄与し、且つ格差是正にも役立ち、災害等に於いては、国内、国際を問わず大きく寄与する。また、遊民化、堕民化を防ぐ。
【発明を実施するための最良の形態】
【０００６】中古自転車の活用と進んだ電気産業を合体させる。
【実施例】
【０００７】日本国内では現在のところ（国際的にも）実施例なし。
【産業上の利用可能性】
【０００８】これに関しては、解説部分並びに要約書で詳しく述べるが、無限の利用可能性を有する。というのは、人口資源であるからである。
【図面の簡単な説明】
【０００９】
【図１】まずお断わりします。これは、デッサン図です。今回は、精密な図形は必要とはしません。何故ならアイディアのみを伝えればよいからです。図をご覧ください。一目見て『なぁんだ、自転車じゃないか』と言われるでしょう。確かに自転車です。他のバイク型トレ−ニング・マシ−ンと大きく違っているところです。ＴＶを見ていると、北朝鮮行きの船舶に日本の自転車が渦高く積み上げられているのを見ました。それを見て、私は『なんと勿体ない、なんと無駄な』と思いました。そう、これは、中古の自転車を有効活用しています。さて、図の説明に入ります。Ｍはモ−タ−を表し、Ｑはメ−タ−を表します。このＡタイプでは、ペダルが直接モ−タ−を回すタイプとなっており、回す事によって得られた電力は電線（Ｅ．Ｃ．）を通って、畜電機（キャパシタ−）兼売電機であるＲに送られます。このＲ（畜電機兼売電機）は、既に関西系の電器メ−カ−ＳＨ社、ＳＹ社、Ｋ社により市販されています。
【図１ａ】これは、一般用（家庭用等）のメ−タ−を表しています。Ｑがメ−タ−を，Ｉがインジケ−タ−を表しています。上の表示が発電したワット数を、下が発電した量に相当する金額を表します。下の金額は、電力会社が買う電力量によりメ−タ−内で設定可能のように作っておきます。このメ−タ−には、後で述べるように変形があり、例えば、体罰の代わりに用いる場合や訓練或いは、心の修養などに用いる時は、発電した電力量（Ｗ数）のみを表示するように作ります。
【図２】これは、Ｂタイプを表します。モ−タ−部分が自転車の後車輪部の位置にあり自転車同様チェ−ンにより回る仕組みとなっています。モ−タ−部分は定置型として直接床に置きます。何故この型を考えているかというと、この例では、一人掛けとなっていますが、例えば、５人掛け、１０人掛けの変形自転車を考えると、仮に先日、東京で起こったような大停電を想定し、また、地震等の災害に見舞われ、急に大量の電力が必要となった場合、例えば、競輪選手、スピ−ドスケ−ト選手或いは、陸上選手のような人が５人ほどいれば、病院等で緊急の用が足せます。これは、緊急手術を行っている時などに大変役に立ちます。Ｍは発電モ−タ−を表し、Ｅ．Ｃ．は畜電機兼売電機への電線を表します。このモデルもご覧のように、モ−タ−以外は、中古自転車を改良したもので、Ａタイプ同様製作費はほとんどただ（ｆｒｅｅ）と思われます。
【図２ａ】これは、［図２］の発電モ−タ−（Ｍ）とチェ−ン（Ｃ）とが歯車（Ｇ）で噛み合っているところを表しています。大発電用には、もっと大型でも大丈夫と思われます。大発電用とは、即ち前に述べた５人掛け用自転車、１０人掛け用等を指します。
【００１０】プランａ：さて、これから、いよいよ本題にはいります。ここからはイメ−ジで解説していきます。まず学校編です。大学から始めます。私のヘタなデッサンよりは、読まれる人のイメ−ジの方がより鮮明だと思います。大学の体育館の傍に、トレ−ニング・センタ−があり、色々なトレ−ニング・マシ−ンが見えます。その片隅にバイク型トレ−ニング・マシ−ンが５０台ほど、正方形状に、そして碁盤目状に整然と並べられています。以前だと唯の体力を作るマシ−ンに過ぎませんでしたが、キャシュ・バックシステムにより運動した分だけが、お金になる事が分かりました。つまり、メ−タ−Ｑから出てきたスリップを持って受付へ行くと、受付で学校が発行する学校券（その学校でのみ通用するお金）を受取、それを生協（大学の食堂兼販売所）へ持って行くと、その分だけ引いてくれる。たとえば１００円の学校券で３００円のラ−メンを食べたとすると、現金２００円と学校券で済むといった具合です。
勿論メ−タ−のセッティングは、使用料と消費税込みにセッティングしてあります。つまり１００円券は実際には家庭の場合１１５円分という事になります。１１５円分の電力量が電力会社に売られた事を意味します。
大学では、講義と講義の間にあき時間が発生します。一般的には１時間５０分ぐらいですが、ヘタに時間割を決めると、時には、３時間以上間隔が開く時があります。そんな時、学生達はジャンソ−へいったり、ゲ−ム・センタ−へ行ったりして時間を潰します。もしそんな時、このバイク型マシ−ンがあると適当に食事代が稼げます。
以下、高校も同じとします。真面目に稼ぐ分、健全な体力と心が養えるという、言わば一挙両得という訳です。
［応用その２］プランｂ一般家庭並びに会社編：一般家庭では、趣味と実益を兼ねた体力作りが家族全員で出来、且つ大量の電力が得られる。もちろん時間に余裕のある人がやればよい。会社では、会社の開いているセクションにマシ−ン５０台ほど設置し、昼の休み時間などに、自主的に使用させれば、社員の健全化などに大いに役立つ、但し会社にとっては、使用料などはしれていると思われるが。
［応用その３］プランｃスポ−ツ界編：ここが最も大量の発電量が期待できる。ところが、いままでこの界の大量エネルギ−が活用される事なく無駄に放出されてきた。ここに大量のバイク型トレ−ニング・マシ−ンを投入して、無駄なく発電し電力会社に電力を売るようにする。前にも述べたが、大量発電が期待できる順は、▲１▼競輪選手▲２▼スピ−ドスケイト選手▲３▼陸上選手▲４▼柔道、レスリング、相撲等これらのスポ−ツ選手エネルギ−をむだにする事は損である。
［応用その４］プランｄ体罰編：体罰という言葉は聞きが悪いが、要するにル−ル違反があった場合、殴る、蹴るというのはいかにも原始てきで、野蛮な感じがする。しかしながら社会にはル−ルというのがある。従ってペナルティは課す必要性がある。但し、これを課す時は言うまでもなく軽微なル−ル違反の時である。勿論この場合は当然ながら『キャシュ・バック』はない。例えば『１０万Ｋｗまでペダルをこげ』とか、この場合のメ−タ−には、メ−タ−（Ｑ）に於いて、キャシュ表示部分がない発電（Ｗ）部分たけのモデルであるのは言うまでもない。例えば、名古屋のＴヨット・スク−ルなどで、ヨットの代わりに、このトレ−ニング・マシ−ンを使えば、発電した資金は、スク−ル運転資金に廻せる。また刑務所などで、『国家に奉仕するため』として、受刑者にさせれば、少しは国のために役立つようになるかもしれない。
近年地方自治体では、不心得者がふえている。そこで、首にするほどひどくない者、つまり矯正可能な者は、マシ−ンを設置した施設で無料奉仕させればよい。
［応用その５］プランｅ格差是正並びに遊民化・堕民化の防止編：例えば、現在ホ−ムレスの収容する建物を作っても、ホ−ムレスは入らないという事をＴＶで伝えていました。これは、ホ−ムレスにとって、利点がなく、嫌な点が多いと判断しているものと思われます。そこで、例えば、ホ−ムレスの施設に、このトレ−ニング・センタ−を作れば、この施設に居住の者は、使用料が１０％で、外からの者は、５０％といった具合に設定すれば、多くのホ−ムレス達が入居を希望するようになる。ホ−ムレス達も、アルミ缶を山積みにして、交通の障害にならなくて済む。今はそれほど大した問題でなくても将来必ずトラブルになると思われる。一日中ペダルを廻して１０００円も稼げれば、一日の生計は立てられる。
少年達に於いても、このようなトレ−ニング・センタ−を作ってやれば、まともなお金が稼げる事になり、ゲ−ム・センタ−に行く回数も減り、非行化防止に役立つ。
【図１】
2008104830.tif 000003
【図１ａ】
2008104830.tif 000004
【図２】
2008104830.tif 000005
【図２ａ】
2008104830.tif 000006